(57)【要約】  人間または動物の身体部分へ流体を噴霧するためのディスペンサが、輪状部、Ｃ状構造、またはＵ状構造を備えており、流体が、複数の開口から構造内に置かれた身体部分へ噴霧される。流体のための収容部と各開口との間の流体接続部によって、確実に、一つの開口からの流体の流量／流速が、他の開口からのものと実質的に同一となっている。【選択図】図５
2018507042.tif 000002
【特許請求の範囲】
【請求項１】
身体部分へ流体を噴霧するためのディスペンサにおいて、輪状部、Ｃ状構造、またはＵ状構造において各開口（２８、５２）を備えており、前記流体が各開口から前記ディスペンサに置かれた身体部分へ噴霧される場合があり、前記各開口は、圧力下で投与される流体の流体源（３１、６０）にマニホルド（２５）を介して接続されており、前記マニホルドを前記各開口に接続する一つまたは複数の管（２３、２３Ａ、２３Ｂ、２３Ｃ、２３Ｄ）を備えており、一つの開口からの前記流体の流量／流速は、圧力下の前記流体源からさらに離れて位置する他の開口からのものと実質的に同一であることを特徴とするディスペンサ。
【請求項２】
請求項１に記載のディスペンサにおいて、投与される流体の前記流体源が、前記マニホルド（２５）に接続された加圧収容部（６０）であることを特徴とするディスペンサ。
【請求項３】
請求項１に記載のディスペンサにおいて、投与される流体の前記流体源が、ポンプ（３１）であって、前記ポンプ（３１）の入口に接続された収容部（３２）から前記マニホルド（２５）が接続された前記ポンプ（３１）の出口へ、前記流体を汲み上げるポンプ（３１）であることを特徴とするディスペンサ。
【請求項４】
請求項３に記載のディスペンサにおいて、プログラム可能なチップ（４４）に接続された各センサ（５３）をさらに備えており、前記センサとチップとの組み合わせは、前記ディスペンサ内の身体部分の存在を特定し、前記プログラム可能なチップは、感知した方向に対応して各弁の開放および閉鎖を制御して各管（２３、２３Ａ、２３Ｂ、２３Ｃ、２３Ｄ）への流体の流入を可能にするまたは防止することを特徴とするディスペンサ。
【請求項５】
請求項３または４に記載のディスペンサにおいて、プログラム可能なチップ（４４）に接続された各センサ（５３）をさらに備えており、前記センサとチップとの組み合わせは、前記ディスペンサ内の身体部分の存在と前記各開口（５２Ａ、５２Ｂ、５２Ｃおよび５２Ｄ）に対するその方向を特定し、前記プログラム可能なチップは、感知した前記方向に応じて各弁の開放および閉鎖を制御して個々の各管（２３Ａ、２３Ｂ、２３Ｃ、２３Ｄ）への流体の流入を可能にするまたは防止することを特徴とするディスペンサ。
【請求項６】
請求項３、４または５のいずれか一項に記載のディスペンサにおいて、前記ポンプの動作の時間を制御するプログラム可能なチップ（４４）を備えることを特徴とするディスペンサ。
【請求項７】
請求項３〜６のいずれか一項に記載のディスペンサにおいて、プログラム可能なチップ（４４）と連携して、身体部分を検知すると前記ポンプ（３１）の動作を可能にする一つまたは複数のセンサ（５３）を有することを特徴とするディスペンサ。
【請求項８】
請求項７に記載のディスペンサにおいて、前記ポンプの動作は、正しい身体部分がセンサによって特定されたときのみ発生することを特徴とするディスペンサ。
【請求項９】
請求項３〜８のいずれか一項に記載のディスペンサにおいて、投与される流体を収容する符号付きの収容部と組み合わされており、符号の付与は、治療の時間および／または長さ、および／または前記管における前記治療の圧力を制御するためにディスペンサによって使用されることを特徴とするディスペンサ。
【請求項１０】
請求項１〜９のいずれか一項に記載のディスペンサにおいて、少なくとも一つの輪状部を備えることを特徴とするディスペンサ。
【請求項１１】
請求項１１に記載のディスペンサにおいて、複数の輪状部を備えることを特徴とするディスペンサ。
【請求項１２】
請求項１０または１１に記載のディスペンサにおいて、輪状部それぞれはセンサを有しており、前記輪状部からの噴霧は、前記センサが前記輪状部内での身体部分の存在を感知したときにのみ始動されることを特徴とするディスペンサ。
【請求項１３】
請求項１〜９のいずれか一項に記載の、身体部分に流体を噴霧するためのディスペンサにおいて、一対の同心状半円形の腕部（４７、４８）を備えており、前記各腕部は、腕部それぞれの近位端において共に枢支されており、前記各腕部が互いに向かって移動したときに形成される形状内の身体部分に対して、前記流体が各開口（２８、５２）から噴霧される場合があることを特徴とするディスペンサ。
【請求項１４】
請求項１４に記載のディスペンサにおいて、前記各腕部は、互いに向かって移動したとき輪状部を形成することを特徴とするディスペンサ。
【請求項１５】
請求項１４に記載のディスペンサにおいて、前記各腕部は、互いに向かって移動したとき身体部分の周囲にＣ形状またはＵ形状を形成することを特徴とするディスペンサ。
【請求項１６】
請求項１４〜１６のいずれか一項に記載の薬剤または医療用治療剤のディスペンサにおいて、前記各腕部の各遠位端を互いに向かって付勢する性質を有するバネを有することを特徴とするディスペンサ。
【請求項１７】
請求項１〜１６のいずれか一項に記載のディスペンサにおいて、前記各開口（２８Ａ、２８Ｂ、２８Ｃ、２８Ｄ、５２Ａ、５２Ｂ、５２Ｃ、および５２Ｄ）は、圧力下の前記流体源からの距離が増えるにつれて、圧力低下を補うために大きさが大きくなっていることを特徴とするディスペンサ。
【請求項１８】
請求項１〜１７のいずれか一項に記載のディスペンサにおいて、前記各管は、圧力下の前記流体源からの距離が増えるにつれて、圧力低下を補うために直径が変化することを特徴とするディスペンサ。
【請求項１９】
請求項１８に記載のディスペンスにおいて、前記各管の前記直径は、それらの長さに沿って段階的になっていることを特徴とするディスペンス。
【請求項２０】
請求項１〜１９のいずれか一項に記載のディスペンサにおいて、個々の開口（５２Ａ、５２Ｂ、５２Ｃ、５２Ｄ）のそれぞれは、別々の管（２３Ａ、２３Ｂ、２３Ｃ、および２３Ｄ）によって前記マニホルドに接続されていることを特徴とするディスペンサ。
【請求項２１】
請求項２１に記載のディスペンサにおいて、前記各管（２３Ａ、２３Ｂ、２３Ｃ、および２３Ｄ）は、異なる直径を有していることを特徴とするディスペンサ。
【発明の詳細な説明】
【技術分野】
【０００１】
本発明は、流体、特に、液状、溶液状、または懸濁液状の薬剤およびその他の医療用治療剤、また、香水およびその他のスキンケア製品を人間および動物の身体へと送達するためのディスペンサに関する。
【背景技術】
【０００２】
薬剤送達システムの向上にも関わらず、流体、特に、液状、溶液状、または懸濁液状の薬剤およびその他の医療用治療剤、また、香水およびその他のスキンケア製品の人間および動物の身体への送達には問題点が残存している。通常、薬剤およびその他の医療用治療剤は、注射、錠剤、およびスプレー式点鼻薬によって提供されている。より最近では、対象となる薬剤またはその他の治療剤を計測された量だけ送達するために、経皮貼布が使用されている。本開示では、「治療剤」には、例えば有毒気体等にこれから暴露されることになっている場合に、人間の反応の危険性を最小限にするために投与される人間の前処置剤が含まれる。
【０００３】
ある環境において対象の薬剤またはその他の治療剤の送達の精度を確保することにおいて、または、パッチを用いる経皮治療剤の場合、治療剤が効果を発揮するのに十分な長い時間、薬剤またはその他の治療剤が皮膚の保護層を通過できるように確実にパッチが十分な接着を継続できるようにすることにおいて、問題点が残存している。
【０００４】
少数の薬剤はスプレー式の剤形で入手可能であるが、これらは投与するのに著しく高い技能を必要とし、使用者の精度、対象からのスプレーの距離、プランジャを押す回数と力とにばらつきがあるため、全く一貫性のない量を投与することになる。
【発明の概要】
【０００５】
本発明に従うと、身体部分へ流体を噴霧するディスペンサが、輪状部、Ｃ状構造、またはＵ状構造において各開口を備えており、流体が各開口からディスペンサに置かれた身体部分へ噴霧される場合があり、各開口は圧力下で投与される流体の流体源にマニホルドを介して接続されており、ディスペンサは、マニホルドを各開口に接続する一つまたは複数の管を備えており、一つの開口からの流体の流量／流速は、圧力下で流体源からさらに離れて位置する他の開口からのものと実質的に同一となっている。
【０００６】
一つの実施形態では、ディスペンサは、ポンプと、収容部と、収容部とポンプとの間に配置され収容部をポンプに接続する流体接続部とをさらに備えており、ポンプは、各開口に接続された一つまたは複数の管に接続されており、一つの開口からの流体の流量／流速は、ポンプからさらに離れて位置する他の開口からのものと実質的に同一となっている。
【０００７】
他の実施形態では、身体部分へ流体を噴霧するディスペンサが、一対の同心状半円形の腕部であって、腕部それぞれの近位端において共に枢支されている各腕部と、各開口であって、流体が輪状部内の身体部分へ各開口から噴霧される場合がある各開口と、流体を収容する収容部をポンプの入口に接続する流体接続部と、一つまたは複数の管に接続されたポンプとを備え、一つまたは複数の管は各開口に接続されており、一つの開口からの流体の流量／流速は、ポンプからさらに離れて位置する他の開口からのものと実質的に同一となっている。
【０００８】
一つの形態では、ポンプは、マニホルドを介して管に接続されている。
【０００９】
一つの形態では、輪状部の内面または各腕部の表面が、プログラム可能なチップに接続された各センサを有しており、プログラム可能なチップは、ディスペンサに挿入された身体部分の存在と方向に対応して、マニホルドから各開口に向かって、各管のうち一つまたは複数への経路を開放および閉鎖する。
【００１０】
さらなる実施形態では、ディスペンサは、圧力下で投与される流体を収容する収容部に直接連結されている。
【００１１】
本発明が有する他の可能性がある特徴は、添付の例示的な説明においておよび／または添付の請求項に記載されたとおりに明らかとなるだろう。
【図面の簡単な説明】
【００１２】
本発明をさらに十分に理解できるようにするために、本発明の各例が、以下の各添付図面に図示されている。
【００１３】
【図１】図１は、本発明に従ったディスペンサの一例の斜視図を示している。
【図２】図２は、本発明に従ったディスペンサの一例の斜視図を示している。
【図３】図３は、図１の線Ａ−Ａ’に沿った断面である。
【図４】図４は、部分的に図１Ａの線Ｂ−Ｂ’に沿った断面で示す、図１および図２に示すディスペンサの概略図である。
【図５】図５は、図４と同様の図であるが、図１〜図４に示すディスペンサのさらなる発展形態を図示している。
【図６】図６は、図５の線Ｃ−Ｃ’に沿った断面である。
【図７】図７は、図５のディスペンサと同様のディスペンサであるが、加圧された収容部から直接供給された治療剤を有するものを図示している。
【発明を実施するための形態】
【００１４】
図１〜図４において、身体部分に流体を噴霧するための本発明に従ったディスペンサ２０は、輪状部２１と各開口２８とを備えている。これら開口２８から、輪状部内の身体部分に対して流体を噴霧する場合がある。流体接続部３７は、受容部５５に取り付けられ、流体を収容する収容部３２を、直立したニップル３４を介してポンプ３１の入口４０に接続している。ポンプ３１は、マニホルド２５に接続された出口３３を有している。一対の管２３が、輪状部２１内の各内部溝２２に囲むように延在しており、輪状部２１の中間に向けられた各開口２８を有している。各開口２８Ａ、２８Ｂ、２８Ｃ、２８Ｄは、開口それぞれからの流体の流量／流速が実質的に同一となるように、ポンプ３１からの距離が増えるにつれて、サイズが大きくなっている。
【００１５】
医療目的で、各管２３は、シリコンゴムまたは医療用途に適した類似の材質を備えている。図１に示す通り、分離した各管２３は、輪状部２１の左手側と輪状部２１の右手側の内部を囲むように延在している。マニホルド２５は、中空基部２６に取り付けられている。各管の他方の端部２７は閉鎖されている。各開口２８Ａ、２８Ｂ、２８Ｃ、２８Ｄは、これらがポンプ３１とマニホルド２５とから離れていくにつれて大きさが増大していく各自己密封型スリットの形で配置されている。輪状部２１は、基部２６に取り付けられている。各管２３は、各板３０によって輪状部２１の上部と底部とにおける適所に保持されている。
【００１６】
関心流体を収容する収容部３２が、その出口ノズルが収容部取付部３５の直立ニップル３４に接続された状態で、基部２６の上部を介して収容部受容部５５に挿入されている。基部２６の底部は、基部板３６によって閉鎖されている。収容部取付部３５は、基部板３６に取り付けられている。流体接続部３７は、収容部基部において、収容部取付部３５から同様に直立しているポンプ接続部３８に向かって配置されている。シリコンゴムまたはその他の適した材料から形成された管３９の短長部は、ポンプ接続部３８をポンプ入口４０に接続している。
【００１７】
収容部３２は交換可能であり、二つまたはそれ以上の異なる治療剤を提供するためにさらに分割されていてもよい。
【００１８】
ポンプ３１は、電池または電源４１から電気が供給される。ほとんどの場合、ポンプ３１は、センサ（例えば、後述の図５および図６を参照して説明する通り、センサ５３等）によって起動されることになるが、基部板の開口４３を介して操作されるスイッチ４２を使用してディスペンサの電源を入るおよび電源を切ることができる。しかし、ある形態におけるスイッチは、より便利に基部の側部に配置されてもよく、またはケース内で完全にユーザの介入から隔離されていてもよい。任意で、開口４３は、スイッチまたはその他の起動装置４２の操作は可能にするが汚れおよび水分は基部内部に近づけない柔軟性のあるゴム製のカバーを収納してもよい。スイッチがユーザ操作のために設けられたものではなく、ケースの内部に配置されている場合、開口４３は完全に省略されるだろう。プログラム可能なチップ４４は、ポンプのスイッチが入っている時間の長さを制限する、および／またはポンプ３１の動作をその前回の動作に続く事前設定された期間だけ禁止するよう設定できる。プログラム可能なチップは、また、ポンプ圧力（よって、各開口２８Ａ、２８Ｂ、２８Ｃ、２８Ｄを介して出射されるいずれかの噴霧の濃度および広がり）を変更するようプログラムされていてもよい。
【００１９】
動作時、患者は、例えば腕、腕首、手、脚、足首、足等の身体の一部を輪状部２１内に配置する。スイッチを入れるまたはある他の適した起動装置４２の動作によってポンプが起動されると、収容部３２に収容された治療剤がポンプ３１によって輪状部２１を周回する各管２３のそれぞれへと汲み上げられる。各管２３内のポンプ圧力によって、流体が、治療の対象となる患者の身体部分への噴霧２６として各自己密封型スリット２８を介して押し出される。
【００２０】
本装置は、人間の身体部分へ流体を噴霧するために開発されたものではあるが、原理上、獣医治療の一環として同様な方法で動物の各部に流体を噴霧するために使用すべきでない理由はない。
【００２１】
図１〜図４に示す装置では、治療対象となる部分の大きさは、輪状部２１の直径によって制限される。
【００２２】
図５および図６に示す装置は、この制限を撤廃する。図５および図６において、ディスペンサ２０は、二つの半円形腕部４７および４８を備えている。各腕部４７および４８は、それらの下方近位端において共に枢動軸４５において枢支されており、閉鎖位置では、それらの遠位端４９において互いに突き合されている。枢動軸４５は基部２６に取り付けられており、基部２６は、各腕部４７および４８を開放するおよび閉鎖することを可能にするスロット５０を有している。任意で、枢動軸４５に関連付けされて、各腕部を付勢して各遠位端４９において閉じ合わせるバネ５１が配置されている。図５および図６に図示する通り、二つの半円形腕部４７および４８は、閉じ合わされると、輪状部２１を形成する。ただし、二つの腕部４７および４８は、輪状部ではなくＣ状またはＵ状としての形状を取ることも可能だろう。
【００２３】
流体接続部３７は、噴霧される流体を収容する収容部をポンプ３１の入口に接続している。ポンプ３１は、マニホルド２５が接続された出口３３を有している。複数の管２３Ａ、２３Ｂ、２３Ｃ、２３Ｄが、マニホルド２５を、各腕部４７および４８の内部を囲むように分配された各開口５２Ａ、５２Ｂ、５２Ｃ、５２Ｄに接続している。各管２３Ａ、２３Ｂ、２３Ｃ、および２３Ｄは、各腕部４７および４８の各内面の各溝２２に取り付けられている。個々の管２３Ａ、２３Ｂ、２３Ｃ、２３Ｄのそれぞれは、個々の開口５２Ａ、５２Ｂ、５２Ｃ、および５２Ｄをマニホルド２５に接続している。この形態では、ノズルそれぞれでの流体圧が実質的に同一なので、一つの開口からの流体の流量／流速は、他の開口からのものと実質的に同一である。各管２３の各端部２７Ａ、２７Ｂ、２７Ｃ、２７Ｄは、各開口を形成する各ノズル５２Ａ、５２Ｂ、５２Ｃ、５２Ｄで終結している。当該例およびその他の例において、各ノズルの代わりに各自己密封型スリットを用いることも可能だろう。
【００２４】
図５および図６に示す形態では、各腕部４７および４８が開放され、それらの遠位端４９の間に身体部分が挿入される。身体部分は、例えば、大腿部、胸部、または肩部など、図１〜図４に示す輪状部２１に挿入可能なものよりも実質的に大きいものとすることができる。ディスペンサが動作可能な状態になると、関心流体を収容する収容部３２が、その出口ノズルが収容部取付部３５上の直立ニップル３４に接続された状態で、基部２６の上部を介して収容部受容部５５に挿入される。基部２６の底部は、基部板３６によって閉鎖されている。収容部取付部３５は、基部板３６上に取り付けられている。流体接続部３７は、収容部基部において、収容部取付部３５から同様に直立している管流体ポンプ接続部３８に向かって配置されている。シリコンゴムまたはその他の適した材料から形成された管３９の短長部は、ポンプ接続部３８をポンプ入口４０に接続している。ポンプ３１は、マニホルド２５が接続された出口３３を有している。各管２３Ａ、２３Ｂ、２３Ｃ、２３Ｄは、マニホルド２５を個別にノズル５２Ａ、５２Ｂ、５２Ｃ、５２Ｄに接続している。
【００２５】
図５および図６に示す例では、ポンプの動作は、電池と、身体部分が挿入されたときを検知するセンサ５３とに接続されたプログラム可能なチップ４４によって制御される。チップは、特定の時間帯でのみ、および／または過剰投与を防止するため前回の治療から特定の時間間隔が経過した後でのみ、および／またはバーコードリーダで読み取られる特定のバーコードを有する収容部がニップル３４に取り付けられたときのみに動作するようにプログラムされていてもよい。しかし、より高度な形態では、一連のセンサ５３が、各腕部４７および４８の各内面を囲むように分配されている（この種のセンサは、図１〜図４に示す輪状部２１の内部を囲むように分配することもできる）。各センサは、身体部分の存在を検知し、プログラム可能なチップ４４と連携し、各腕部４７および４８と輪状部２１とによって画定される領域内で正しい身体部分が存在するときのみポンプを操作することができる。ただし、図５および図６に示す構成では、プログラム可能なチップと組み合わされた各センサは、身体部分の方向を特定することができる。この構成において、チップ４４は、各管２３Ａ、２３Ｂ、２３Ｃ、および２３Ｄへの流入を制御するモーター付きの各バルブ５４に接続されており、この様にして、噴霧対象である身体部分の部分が噴霧されることのみを確保するように噴霧方向を制御することができる。
【００２６】
上述の通り、ポンプ（およびチップ４４）は、スイッチ４２を介して電池または電源４１から電気が供給される。スイッチ４２は、ユーザ操作に使用できるようになっている場合、基部板の開口４３を介して操作することができる。しかし、ある形態におけるスイッチは、より便利に基部の側部に配置されていてもよい。任意で、開口４３が、スイッチ４２の操作は可能にするが汚れおよび水分は基部内部に近づけない柔軟性のあるゴム製のカバーを収納してもよい。その他の例では、スイッチ４２のユーザ操作は禁止され、外部からスイッチ４２に接近することができないようになっている。明確性のため、各センサ５３とチップ４４との間の各接続部は省略されている。チップ４４のプログラミングは、画像認識の分野における標準的な手法に従うことになる。
【００２７】
当業者であれば、本発明のための収容部取付部および／またはポンプの代替として可能な構成を容易に特定できるだろう。各輪状部または各腕部は円形状または半円形状である必要はなく、正方形、楕円形、またはその他のどのような適切な形状も採用できるだろう。
【００２８】
チップ４４は、噴霧の制御を可能にするだけではなく、医療目的で、例えば治療の時間等の記録を可能にし、患者が定期的に治療剤を摂取しているか否かを医療専門家が監視できるようにする。さらに発展させて、例えば、事前にプログラムされた治療剤を摂取し損なうと、リマインダまたはアラームを作動させることができる。アラームは、患者に向けてその場に設ける、または制御センター、医療センター、または病院において遠隔的に設けることができる。チップは、異なる患者に異なる量の治療剤を投与する、または異なる患者に対して異なる治療計画を遂行するようプログラムすることができる。患者は、異なるスイッチ、入力されたコード、またはその他の認識システムを使用して特定される。赤外線ランプおよび検出器や、その他の監視センサを組み込んで、輪状部内に、または図５および図６に示す各腕部４７および４８の各遠位端の間に身体部分が存在しない場合は、システムの動作を防止するようにしてもよい。
【００２９】
図示では電池４１が使用されているが、これは、長寿命の従来の電池またはリチウムイオン電池などの充電式電池とすることが可能だろう。または、多くの家庭内用途に向けた、充電式予備電池を備えた、変圧器によって安全な電圧へと降圧された電源によって、電池を置き換えることもできる。この場合、電池の放電の結果電力が損失することを回避できるので、好適な選択肢となる場合がある。現場作業においては、これは実用的ではなく、電池電気を使用することになるだろう。
【００３０】
各例では、各ノズルおよび各自己密封型スリットの両方の形の各開口を説明したが、これらは各例において入れ換え可能である。
【００３１】
図４および図５に示す複数の管を用いる方法を、図１〜図４に示す閉鎖輪状装置と共に使用することができる。
【００３２】
図１〜図６に示す各例のさらなる形態では、各管は、異なる直径を有することができる。またさらなる形態では、複数の管を使用するのではなく、その代わりに、一つの管であり、それが、図５および図６に示す腕部４７および４８のそれぞれ、または図１〜図４に示す輪状部２１の側部それぞれを通過するにつれてその直径が変化するような管を使用しても同様な効果を得ることができる。
【００３３】
分離した各管２３、２３Ａ、２３Ｂ、２３Ｃ、２３Ｄを使用する代わりに、さらなる発展形態として、図１〜図４に示す輪状部２１または図５および図６に示す各装置における各腕部４７および４８の成形の一部として、各管を成形することができる。
【００３４】
装置の適用例として、関節炎、火傷、静脈性潰瘍、慢性的な傷／感染、皮膚炎、その他の剥脱性状態の噴霧治療や、外傷においては、患者および病棟職員／見舞客からのメシチリン耐性黄色ブドウ球菌の撲滅、および消毒等が挙げられる。本装置は、傷口の密封および包帯への噴霧のために使用することもできる。特殊な用途としては、緊急避難所における患者に対する治療または包帯への一時的な噴霧の投与が挙げられる。
【００３５】
本装置を使用して適用する可能性がある製品の範囲には、消毒／洗浄剤（ヨード等）、薬剤（例えば、凝固剤、修復刺激剤、抗生物質、鎮痛剤、抗炎症薬等）、保護層（傷口を大気／感染／摩擦から保護するためや、体液の損失や薬剤の損失を防止するための層）、固定材（例えばギプスやポリマー）が含まれる。
【００３６】
本発明の装置は、香水、サンオイル、石鹸等を身体部分に塗布する処置等、非医療用目的で使用することもできる。
【００３７】
図１〜図４に示す構成では、ディスペンサは、例えば手指程度の大きさの複数の輪状部を、どれを起動するか判定する各センサと共に備えていてもよい。
【００３８】
各センサ５３は、赤外線センサ、超音波センサ、またはその他のセンサとすることも可能だろう。その中には、距離および／または方向の情報を提供できるものもあるだろう。例えば、手が中心からずれて挿入された場合、装置は、それに応じて噴霧を調整することが可能だろう。
【００３９】
加圧収容部が使用される場合、収容部出口をマニホルド２５とポンプ３１とに直接連結し、その制御システムを省略することができる。
【００４０】
このような形態は図７に図示されている。
【００４１】
図７では、ディスペンサ２０は、（図５および図６と同様な）二つの半円形腕部４７および４８を備えている。各腕部４７および４８は、それらの下方近位端において共に枢動軸４５において枢支されており、閉鎖位置では、それらの遠位端４９において互いに突き合されている。任意で、枢動軸４５に関連付けされて、各腕部を付勢して各遠位端４９において閉じ合わせるバネ５１が配置されている。図７に図示する通り、二つの半円形腕部４７および４８は、閉じ合わされると、輪状部２１を形成する。ただし、二つの腕部４７および４８は、輪状部ではなくＣ状またはＵ状としての形状を取ることも可能だろう。
【００４２】
複数の管２３Ａ、２３Ｂ、２３Ｃ、２３Ｄが、各腕部４７および４８の各近位端におけるマニホルド２５を、各腕部４７および４８の内部を囲むように分配されており各管２３Ａ、２３Ｂ、２３Ｃ、２３Ｄの各端部２７Ａ、２７Ｂ、２７Ｃ、２７Ｄに位置する各ノズル５２Ａ、５２Ｂ、５２Ｃ、５２Ｄに接続している。各ノズル５２Ａ、５２Ｂ、５２Ｃ、および５２Ｄの代わりに各自己密封型スリットを使用することが可能だろう。各管２３Ａ、２３Ｂ、２３Ｃ、および２３Ｄは、各腕部４７および４８の各内面の各溝２２に取り付けられている。図５と同様に、個々の管２３Ａ、２３Ｂ、２３Ｃ、２３Ｄのそれぞれは、個々のノズル５２Ａ、５２Ｂ、５２Ｃ、および５２Ｄをマニホルド２５に接続している。このようにして、ノズルそれぞれにおける流体圧は実質的に同一となっている。一つの開口からの流体の流量／流速は、他の開口からのものと実質的に同一である。
【００４３】
図５および図６に示す形態と同様に、各腕部４７および４８を開放し、それらの各遠位端４９の間に身体部分を挿入できる。圧力下で治療剤と気体とを収容する収容部６０のオリフィス６１は、マニホルド２５に接続されており、Ｏリング６２がマニホルドとオリフィスとの間を密封している。収容部６０は、加圧流体を投与する収容部用の従来の構成を有している。ディスペンサ２０と患者との準備が整うと、作動部６３がプラグ６８とバネ６５とに対して押圧されて、開口６４を開放し、治療剤を解放する。治療剤は、圧力下で収容部の底部近辺から浸漬管６６内を上昇し、マニホルド２５を通過し、各管２３Ａ、２３Ｂ、２３Ｃ、および２３Ｄ内へ供給され、各ノズル５２Ａ、５２Ｂ、５２Ｃ、および５２Ｄから出射されて、ディスペンサ内に収容された身体部分に噴霧される。
【００４４】
治療が完了すると、ディスペンサ２０への下方向への圧力が解放される。（図示の通り）バネ６５が、収容部６０の上部にあるガスケット６９に対してプラグ６８を上方向へ付勢し、開口６４を閉鎖して、これによって治療剤の流通を停止させる。
【００４５】
図７において、枢支された各腕部４７および４８の代わりに、図１〜図４に図示する固定輪状部を用いることができる。同様に、四つの管２３Ａ、２３Ｂ、２３Ｃ、２３Ｄの代わりに、図１〜図４に図示する通り、輪状部の各側において一つの管２３を用いることができる。
【００４６】
管２３、または２３Ａ、２３Ｂ、２３Ｃ、２３Ｄ内で収容部が枯渇するにつれて、ある圧力低下が発生する場合があるが、これは、全ての場合において、深刻ではない場合もある。低下が深刻な場合は、図１〜図６と同様のポンプ形態を維持する、または収容部を置き換える必要がある。
【図１】
2018507042.tif 000003
【図２】
2018507042.tif 000004
【図３】
2018507042.tif 000005
【図４】
2018507042.tif 000006
【図５】
2018507042.tif 000007
【図６】
2018507042.tif 000008
【図７】
2018507042.tif 000009
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
人間または動物の身体部分へ流体を噴霧するためのディスペンサにおいて、前記ディスペンサは、輪状部、Ｃ状構造、またはＵ状構造において各開口（２８、５２）を備えており、前記流体が各開口から前記ディスペンサに置かれた身体部分へ噴霧される場合があり、前記各開口は、圧力下で投与される流体の流体源（３１、６０）にマニホルド（２５）を介して接続されており、前記マニホルドを前記各開口に接続する一つまたは複数の管（２３、２３Ａ、２３Ｂ、２３Ｃ、２３Ｄ）を備えており、一つの開口からの前記流体の流量／流速は、圧力下の前記流体源からさらに離れて位置する他の開口からのものと実質的に同一であることを特徴とするディスペンサ。
【請求項２】
請求項１に記載のディスペンサにおいて、投与される流体の前記流体源が、前記マニホルド（２５）に接続された加圧収容部（６０）であることを特徴とするディスペンサ。
【請求項３】
請求項１に記載のディスペンサにおいて、投与される流体の前記流体源が、ポンプ（３１）であって、前記ポンプ（３１）の入口に接続された収容部（３２）から前記マニホルド（２５）が接続された前記ポンプ（３１）の出口へ、前記流体を汲み上げるポンプ（３１）であることを特徴とするディスペンサ。
【請求項４】
請求項３に記載のディスペンサにおいて、プログラム可能なチップ（４４）に接続された各センサ（５３）をさらに備えており、前記センサとチップとの組み合わせは、前記ディスペンサ内の身体部分の存在を特定し、前記プログラム可能なチップは、感知した方向に対応して各弁の開放および閉鎖を制御して各管（２３、２３Ａ、２３Ｂ、２３Ｃ、２３Ｄ）への流体の流入を可能にするまたは防止することを特徴とするディスペンサ。
【請求項５】
請求項３または４に記載のディスペンサにおいて、プログラム可能なチップ（４４）に接続された各センサ（５３）をさらに備えており、前記センサとチップとの組み合わせは、前記ディスペンサ内の身体部分の存在と前記各開口（５２Ａ、５２Ｂ、５２Ｃおよび５２Ｄ）に対するその方向を特定し、前記プログラム可能なチップは、感知した前記方向に応じて各弁の開放および閉鎖を制御して個々の各管（２３Ａ、２３Ｂ、２３Ｃ、２３Ｄ）への流体の流入を可能にするまたは防止することを特徴とするディスペンサ。
【請求項６】
請求項３、４または５のいずれか一項に記載のディスペンサにおいて、前記ポンプの動作の時間を制御するプログラム可能なチップ（４４）を備えることを特徴とするディスペンサ。
【請求項７】
請求項３〜６のいずれか一項に記載のディスペンサにおいて、プログラム可能なチップ（４４）と連携して、身体部分を検知すると前記ポンプ（３１）の動作を可能にする一つまたは複数のセンサ（５３）を有することを特徴とするディスペンサ。
【請求項８】
請求項７に記載のディスペンサにおいて、前記ポンプの動作は、正しい身体部分がセンサによって特定されたときのみ発生することを特徴とするディスペンサ。
【請求項９】
請求項３〜８のいずれか一項に記載のディスペンサにおいて、投与される流体を収容する符号付きの収容部と組み合わされており、符号の付与は、治療の時間および／または長さ、および／または前記管における前記治療の圧力を制御するためにディスペンサによって使用されることを特徴とするディスペンサ。
【請求項１０】
請求項１〜９のいずれか一項に記載のディスペンサにおいて、少なくとも一つの輪状部を備えることを特徴とするディスペンサ。
【請求項１１】
請求項１１に記載のディスペンサにおいて、複数の輪状部を備えることを特徴とするディスペンサ。
【請求項１２】
請求項１０または１１に記載のディスペンサにおいて、輪状部それぞれはセンサを有しており、前記輪状部からの噴霧は、前記センサが前記輪状部内での身体部分の存在を感知したときにのみ始動されることを特徴とするディスペンサ。
【請求項１３】
請求項１〜９のいずれか一項に記載の、身体部分に流体を噴霧するためのディスペンサにおいて、一対の同心状半円形の腕部（４７、４８）を備えており、前記各腕部は、腕部それぞれの近位端において共に枢支されており、前記各腕部が互いに向かって移動したときに形成される形状内の身体部分に対して、前記流体が各開口（２８、５２）から噴霧される場合があることを特徴とするディスペンサ。
【請求項１４】
請求項１４に記載のディスペンサにおいて、前記各腕部は、互いに向かって移動したとき輪状部を形成することを特徴とするディスペンサ。
【請求項１５】
請求項１４に記載のディスペンサにおいて、前記各腕部は、互いに向かって移動したとき身体部分の周囲にＣ形状またはＵ形状を形成することを特徴とするディスペンサ。
【請求項１６】
請求項１４〜１６のいずれか一項に記載の薬剤または医療用治療剤のディスペンサにおいて、前記各腕部の各遠位端を互いに向かって付勢する性質を有するバネを有することを特徴とするディスペンサ。
【請求項１７】
請求項１〜１６のいずれか一項に記載のディスペンサにおいて、前記各開口（２８Ａ、２８Ｂ、２８Ｃ、２８Ｄ、５２Ａ、５２Ｂ、５２Ｃ、および５２Ｄ）は、圧力下の前記流体源からの距離が増えるにつれて、圧力低下を補うために大きさが大きくなっていることを特徴とするディスペンサ。
【請求項１８】
請求項１〜１７のいずれか一項に記載のディスペンサにおいて、前記各管は、圧力下の前記流体源からの距離が増えるにつれて、圧力低下を補うために直径が変化することを特徴とするディスペンサ。
【請求項１９】
請求項１８に記載のディスペンサにおいて、前記各管の前記直径は、それらの長さに沿って段階的になっていることを特徴とするディスペンサ。
【請求項２０】
請求項１〜１９のいずれか一項に記載のディスペンサにおいて、個々の開口（５２Ａ、５２Ｂ、５２Ｃ、５２Ｄ）のそれぞれは、別々の管（２３Ａ、２３Ｂ、２３Ｃ、および２３Ｄ）によって前記マニホルドに接続されていることを特徴とするディスペンサ。
【請求項２１】
請求項２０に記載のディスペンサにおいて、前記各管（２３Ａ、２３Ｂ、２３Ｃ、および２３Ｄ）は、異なる直径を有していることを特徴とするディスペンサ。
【国際調査報告】
2018507042.tif 000010
2018507042.tif 000011
2018507042.tif 000012
2018507042.tif 000013
2018507042.tif 000014